(57)【要約】【課題】ＬＥＤを光源として用いた照明器具において、光の照射範囲を広げ、かつ装飾性を高める。【解決手段】照明器具は、ＬＥＤ光源６と、ＬＥＤ光源６を覆う透光性のカバー７と、ＬＥＤ光源６とカバー７との間の空間Ｓに配置されＬＥＤ光源６からの光を反射する複数の反射部材８と、を備える。複数の反射部材８は、空間Ｓ内に固定されることなく詰め込まれている。反射部材８が複数設けられているので、ＬＥＤ光源６からの光を多重に反射して広い範囲に光を照射することができる。また、ＬＥＤ光源６を覆うカバー７が透光性とされているので、反射部材８により反射されて生じたキラキラ感に富んだ光をそのまま照明器具の外部へと照射することが可能となり、照明器具の装飾性を高めることができる。【選択図】図２
2013127926.tif 000002
【特許請求の範囲】
【請求項１】
ＬＥＤ光源と、
前記ＬＥＤ光源を覆う透光性のカバーと、
前記ＬＥＤ光源と前記カバーとの間の空間に配置され、前記ＬＥＤ光源からの光を反射する複数の反射部材と、を備え、
前記反射部材は、前記空間内に固定されることなく詰め込まれていることを特徴とする照明器具。
【請求項２】
前記複数の反射部材の各々は、球状多面体形状とされていることを特徴とする請求項１に記載の照明器具。
【請求項３】
前記複数の反射部材の各々は、互いに大きさが異なるものを含むことを特徴とする請求項１又は請求項２に記載の照明器具。
【請求項４】
前記カバーは、球面形状とされていることを特徴とする請求項１乃至請求項３のいずれか一項に記載の照明器具。
【請求項５】
前記ＬＥＤ光源は、多角筒形状に形成された支持基板の外側面にＬＥＤが搭載されていることを特徴とする請求項１乃至請求項４のいずれか一項に記載の照明器具。
【請求項６】
前記カバーは、前記空間内に前記反射部材を出し入れするための開口と、前記開口を塞ぐ着脱可能で透光性の蓋と、を有することを特徴とする請求項１乃至請求項５のいずれか一項に記載の照明器具。
【発明の詳細な説明】
【技術分野】
【０００１】
本発明は、ＬＥＤを光源として用いた照明器具に関する。
【背景技術】
【０００２】
近年、ＬＥＤを光源として用いた照明器具が注目されている（例えば、特許文献１参照）。図１０に示すように、このような照明器具は、例えば、電球１００と、電球１００が取り付けられ電球１００に給電するためのソケット２００と、を備える。電球１００は、複数のＬＥＤ３００と、これらＬＥＤ３００からの光が入射する位置に設けられた反射部材４００と、ＬＥＤ３００及び反射部材４００を覆うカバー５００と、を有する。反射部材４００は、多面体形状とされ、ワイヤ６００によりカバー５００に固定されている。カバー５００には、ＬＥＤ３００からの光及び反射部材４００により反射された光を拡散する拡散材７００が含まれる。ＬＥＤ３００からの光は、反射部材４００により種々の方向に反射された後、更に拡散材７００により拡散されてカバー５００の外表面より照明器具の外部へと照射される。
【先行技術文献】
【特許文献】
【０００３】
【特許文献１】特許第４７９６２１８号公報
【発明の概要】
【発明が解決しようとする課題】
【０００４】
しかしながら、上述したような照明器具では、反射部材４００が１つしか設けられていないのでＬＥＤ３００からの光を十分に反射することができず、また、ソケット２００の方向には光が照射され得ないので、光の照射範囲が狭い。また、このような照明器具は、拡散材７００により拡散され輝度が均一化されたキラキラ感に乏しい光を照射するので、装飾性（誘目性）が低い。
【０００５】
本発明は、上記課題を解決するものであって、ＬＥＤを光源として用いた照明器具において、広い範囲に光を照射することができ、しかも装飾性が高い照明器具を提供することを目的とする。
【課題を解決するための手段】
【０００６】
本発明の照明器具は、ＬＥＤ光源と、前記ＬＥＤ光源を覆う透光性のカバーと、前記ＬＥＤ光源と前記カバーとの間の空間に配置され、前記ＬＥＤ光源からの光を反射する複数の反射部材と、を備え、前記反射部材は、前記空間内に固定されることなく詰め込まれていることを特徴とする。
【０００７】
前記複数の反射部材の各々は、球状多面体形状とされていることが好ましい。
【０００８】
前記複数の反射部材の各々は、互いに大きさが異なるものを含むことが好ましい。
【０００９】
前記カバーは、球面形状とされていることが好ましい。
【００１０】
前記ＬＥＤ光源は、多角筒形状に形成された支持基板の外側面にＬＥＤが搭載されていることが好ましい。
【００１１】
前記カバーは、前記空間内に前記反射部材を出し入れするための開口と、前記開口を塞ぐ着脱可能で透光性の蓋と、を有することが好ましい。
【発明の効果】
【００１２】
本発明によれば、ＬＥＤ光源からの光を反射する反射部材が複数設けられているので、ＬＥＤ光源からの光を多重に反射して広い範囲に光を照射することができる。また、ＬＥＤ光源を覆うカバーが透光性とされているので、反射部材により反射されて生じたキラキラ感に富んだ光をそのまま照明器具の外部へと照射することが可能となり、照明器具の装飾性を高めることができる。
【図面の簡単な説明】
【００１３】
【図１】本発明の実施形態に係る照明器具の側面図。
【図２】上記照明器具を構成する灯体の側断面図。
【図３】上記灯体の上面図。
【図４】（ａ）は上記灯体を構成するＬＥＤ光源の側断面図、（ｂ）は（ａ）のＩ−Ｉ線断面図。
【図５】（ａ）は上記ＬＥＤ光源と給電ワイヤとの接続を示す側断面図、（ｂ）は（ａ）に示すＩの方向から同ＬＥＤ光源を見た図。
【図６】上記照明器具を構成する給電ワイヤの断面図。
【図７】上記照明器具の組み立て要領を示す図。
【図８】（ａ）は上記実施形態の第１の変形例に係る照明器具を構成する灯体の斜視図、（ｂ）は同灯体の上面図。
【図９】（ａ）は上記実施形態の第２の変形例に係る照明器具を構成する灯体の斜視図、（ｂ）は同灯体の上面図。
【図１０】従来の照明器具の部分側断面図。
【発明を実施するための形態】
【００１４】
本発明の実施形態に係る照明器具について、図１乃至図７を参照して説明する。図１に示すように、照明器具１は、複数の灯体２が１本の給電ワイヤ３により数珠状に繋げられ、給電ワイヤ３の一端が天井Ｃに埋設された取付具４に接続される吊り下げ式の照明器具である。取付具４は、商用電源に接続され、商用電源から得た電力を給電ワイヤ３を介して灯体２に供給する。
【００１５】
図２及び図３に示すように、灯体２は、複数のＬＥＤ５を光源とするＬＥＤ光源６と、ＬＥＤ光源６を覆う透光性のカバー７と、これらの間の空間Ｓに詰め込まれた複数の反射部材８と、ＬＥＤ光源６の上側とカバー７との間に介在する保持部材９と、を備える。ＬＥＤ５としては、例えば、青色光を出射するＧａＮ系青色ＬＥＤチップに黄色蛍光体を被覆して白色光が出射されるようにした白色ＬＥＤが好適に用いられるが、任意の色の光を発するＬＥＤが使用可能である。ＬＥＤ光源６は、筒形状とされ、その内部を給電ワイヤ３が貫通した状態で給電ワイヤ３に係止されている。ＬＥＤ光源６の具体的な構成については、後述する図４及び図５で詳しく説明する。カバー７は、球面形状とされる。反射部材８は、球状多面体とされ、互いに大きさの異なる複数種類のものにより構成される。反射部材８は、空間Ｓ内に固定されることなく詰め込まれ、ＬＥＤ光源６からの光を反射する。保持部材９は、カバー７を所定の位置に保持する。
【００１６】
カバー７は、その上側（天井側）に円形の開口７１を有し、この開口７１には透光性の蓋７２が着脱可能に取り付けられる。開口７１は、ＬＥＤ光源６をカバー７内に挿入することができる大きさに構成される。カバー７は、更に、灯体２の重心Ｇを通り垂直方向に伸びる線分Ｌ上に、給電ワイヤ３が挿通される貫通穴７３を有する。貫通穴７３は、開口７１と、蓋７２の中央に設けられた貫通穴７３ａと、カバー７の下側に設けられた貫通穴７３ｂと、により構成される。カバー７及び蓋７２は、ガラスやアクリル樹脂といった透光性材料により構成される。
【００１７】
反射部材８は、複数の多角形の各辺を連結させて球形状と成した透光性部材であり、ガラスやアクリル樹脂等の透光性材料により構成される。このものとして、例えば、多数のカット面を有するクリスタルガラス及び有機ガラスが挙げられる。なお、反射部材８を構成する透光性材料には、透光性を損なわない程度に着色剤が添加されていてもよい。反射部材８は、図例では、３種類の反射部材８１、８２、８３により構成されている。
【００１８】
保持部材９は、長尺な形状とされ、矩形の平板９１と、平板９１の両端から所定の角度でＬＥＤ光源６側に傾斜した２つの側板９２と、により構成される。平板９１の中央には給電ワイヤ３が挿通される穴９３が設けられる。保持部材９の長手方向の長さは、保持部材９がカバー７の内側から開口７１周縁部に引っかかるように、開口７１の直径よりも長く構成される。保持部材９は、ＬＥＤ光源６の上側に載置された状態で、その側板９２をカバー７の内面に当接させることでカバー７を保持する。保持部材９は、透光性のアクリル樹脂により構成される。
【００１９】
図４（ａ）（ｂ）に示すように、ＬＥＤ光源６は、ＬＥＤ５が搭載される支持基板６１と、支持基板６１が取り付けられる多角筒形状の枠体６２と、これらを覆う円筒形状で透光性のＬＥＤ保護カバー６３と、を有する。支持基板６１は、枠体６２の各々の外側面にそれぞれネジ６４によりネジ止めされる。ネジ６４は、そのネジ先がＬＥＤ光源６を給電ワイヤ３に係止するのに利用されるように枠体６２の内部へ突出する長さに構成される。支持基板６１は、ＬＥＤ５に給電するための配線パターン（不図示）を有する。枠体６２の内部を給電ワイヤ３が通る。枠体６２は、その側面の各々に支持基板６１の配線パターンと給電ワイヤ３とを接続する配線（後述する図５参照）を通す孔６２ａを有する。枠体６２は、所定の剛性を有するアルミニウムにより構成される。ＬＥＤ保護カバー６３は、透光性のアクリル樹脂により構成される。
【００２０】
図５（ａ）（ｂ）に示すように、給電ワイヤ３は、自身に巻き付けられた結束バンド３１と、結束バンド３１よりも下側に配置される分岐部３２と、分岐部３２よりも更に下側に配置されるカバー落下防止部材３３と、を有する。結束バンド３１には、ＬＥＤ光源６を構成するネジ６４のネジ先が係止される。これにより、ＬＥＤ光源６が給電ワイヤ３に係止される。分岐部３２においては、給電ワイヤ３に含まれる導線（後述する図６参照）から配線３４が分岐される。分岐部３２から分岐した配線３４は、枠体６２の孔６２ａを通って１つの支持基板６１の配線パターンに接続される。配線３４と接続された支持基板６１の配線パターンは、その他の支持基板６１の配線パターンと送り配線３５により接続される。これにより、ＬＥＤ光源６が給電ワイヤ３と電気的に接続される。また、カバー落下防止部材３３は、カバー７の貫通孔７３ｂと摺接することで生じる摩擦力によりカバー７のずり落ちを防止する。カバー落下防止部材３３は、ゴム状バンド等により構成される。
【００２１】
図６に示すように、給電ワイヤ３は、２本の給電線３６が互いに接合されたものである。各々の給電線３６は、芯材３７と、導線３８と、これらを被覆する絶縁性樹脂３９と、により構成される。芯材３７は、１９本のφ０．１２のＳＵＳ（ステンレス鋼）線により構成される。導線３８は、１２本の銅線により構成される。各々の銅線は、８本のφ０．０８の銅線を束ねたものにより構成される。
【００２２】
次に、上記構成の照明器具１を組み立てる要領について説明する。まず、図７に示すように、枠体６２の内部に結束バンド３１及び分岐部３２を収容し、配線３４を枠体６２の孔６２ａから枠体６２の外部へ導出させて支持基板６１の配線パターンに接続する。その後、支持基板６１をネジ６４により枠体６２へネジ止めし、ネジ６４のネジ先を結束バンド３１に係止させる。以上の操作により、ＬＥＤ光源６が給電ワイヤ３と電気的に結ばれると共に、給電ワイヤ３に係止される。
【００２３】
次に、ＬＥＤ光源６から下側に伸びる給電ワイヤ３を、開口７１−貫通孔７３ｂの順でカバー７に通す（図２参照）。その後、カバー７を上側に移動させて、開口７１よりＬＥＤ光源６をカバー７内に収容する。この状態において、空間Ｓ内に反射部材８を詰め込む。次いで、ＬＥＤ光源６から上側に伸びる給電ワイヤ３に保持部材９の穴９３を通し、保持部材９を斜めにして開口７１よりカバー７内に導入した後、保持部材９をカバー７とＬＥＤ光源６の上側との間に配置する。これにより、カバー７の内面が保持部材９に引っかかって、ＬＥＤ光源６に対してカバー７が保持される。カバー７には、更に、カバー落下防止部材３３が装着される。最後に、開口７１に蓋７２が取り付けられる。
【００２４】
上記のように組み立てられた照明器具１において、ＬＥＤ５から出射された光は、ＬＥＤ保護カバー６３を透過した後、複数の反射部材８により種々の方向に反射される。このとき、反射部材８の表面が多数の多角形により構成されているので、ＬＥＤ５から出射された光は反射部材８の表面で反射される、又は反射部材８内に入射した後、入射面とは異なる面を屈折透過する。複数の反射部材８により多重に反射された光は、カバー７、蓋７２及び保持部材９を透過して、照明器具１の全面より外部へ照射される。
【００２５】
本実施形態の照明器具１によれば、ＬＥＤ光源６からの光を反射する反射部材８が複数設けられているので、ＬＥＤ光源６からの光を多重に反射して、広い範囲に光を照射することができる。また、ＬＥＤ光源６を覆うカバー７が透光性とされているので、反射部材８により反射されて生じたキラキラ感に富んだ光をそのまま照明器具１の外部へと照射することが可能となり、照明器具１の装飾性を高めることができる。
【００２６】
また、反射部材８が球状多面体形状とされているので、反射部材８により反射された光がカットガラスやミラーボールが呈するようなキラキラ感溢れる光となって、照明器具１の装飾性が高まる。
【００２７】
また、反射部材８が互いに大きさが異なる反射部材８１、８２、８３により構成されているので、１種類の反射部材８しか存在しない場合に比べて、より多様なパターンで光を反射することができる。また、互いに異なる色で着色した反射部材８１、８２、８３を用いた場合には、照明器具１から照射される光の色を複数種類とすることができるので、照明器具１の装飾性をより高めることができる。
【００２８】
また、支持基板６１が多角筒形状に形成され、その外側面の各々にＬＥＤ５が配設されているので、照明器具１の周囲にまんべんなく光を照射することができる。また、カバー７に開口７１が設けられているので、反射部材８を開口７１から出し入れして容易に反射部材８を交換することができる。また、開口７１は蓋７２で塞がれているので、反射部材８の脱落やカバー７内に埃が入るのを防ぐことができる。
【００２９】
更に、灯体２の重心Ｇを通る線分Ｌ上に設けられた貫通穴７３を通って給電ワイヤ３が灯体２を貫通しているので、灯体２を給電ワイヤ３により天井Ｃから吊り下げた場合に、給電ワイヤ３の鉛直線上に貫通穴７３と重心Ｇが並ぶ。そのため、給電ワイヤ３が屈曲せず、照明器具１のよじれを防止すると共に灯体２の位置を安定化することができる。
【００３０】
次に、上記実施形態の変形例に係る照明器具について図８及び図９を参照して説明する。図８（ａ）（ｂ）に示すように、第１の変形例に係る照明器具は、上述の照明器具１とカバー７の形状が異なる。本変形例においては、カバー７の外形が略立方体形状とされ、その側面の各々が各支持基板６１に対して平行となっている。図９（ａ）（ｂ）に示すように、第２の変形例に係る照明器具は、上述の照明器具１と支持基板６１の配置及びカバー７の形状が異なる。本変形例においては、３つの支持基板６１が三角筒形状を形成している。カバー７は、その外形が三角柱形状とされ、その側面の各々が各支持基板６１に対して平行となっている。これら変形例に係る照明器具によれば、上述の照明器具１と同じ効果を与えつつ、照明器具のデザイン多様性を増すことができる。
【００３１】
なお、本発明に係る照明器具は、上記実施形態及びその変形例に限定されず、種々の変形が可能である。例えば、上記実施形態においては１本の給電ワイヤに複数の灯体が設けられているが、１本の給電ワイヤに１個の灯体だけが設けられていてもよい。また、支持基板は必ずしも多角筒形状に形成される必要はなく、例えば、立方体形状に形成されてもよい。更に、カバーは、開口及び蓋を有さない構成とされてもよい。この場合には、例えば、カバーを２つの半球面形状の部材により構成し、これらを組み合わせて球面形状のカバーを形成する際に、ＬＥＤ光源と反射部材とを一緒にカバー内に導入すればよい。
【符号の説明】
【００３２】
１  照明器具
２  灯体
５  ＬＥＤ
６  ＬＥＤ光源
６１  支持基板
７  カバー
７１  開口
７２  蓋
８、８１、８２、８３  反射部材
Ｓ  ＬＥＤ光源とカバーとの間の空間
【図１】
2013127926.tif 000003
【図２】
2013127926.tif 000004
【図３】
2013127926.tif 000005
【図４】
2013127926.tif 000006
【図５】
2013127926.tif 000007
【図６】
2013127926.tif 000008
【図７】
2013127926.tif 000009
【図８】
2013127926.tif 000010
【図９】
2013127926.tif 000011
【図１０】
2013127926.tif 000012